(57)【特許請求の範囲】
【請求項１】
多数の電源プラグが接続される通信装備ラック用電源分配装置（１）であって、
前記電源プラグ（Ｐ）の形状に対応する形状に凹設されたプラグ装着溝（１１）と、前記プラグ装着溝（１１）の内部に設置され、前記電源プラグ（Ｐ）に接続されて電源を提供する端子部（１２）とからなるボックス状のプラグ接続部（１０）；
前記プラグ接続部（１０）が内部に挿入されるように上下部が開放されたボックス状の装着ケース（２１）と、前記装着ケース（２１）の両側面に設けられ、長さ方向に突出したスライド突起（２２）とからなるスライド挿入部（２０）；
前記スライド挿入部（２０）の上部に装着され、前記電源プラグ（Ｐ）の接続の際にその上部の一面が下部方向に加圧されるように中心面が一方向に切開されたプラグ貫通部（３１）を有するプラグ固定手段（３０）；および
前記スライド挿入部（２０）が装着されるように上部が開放された四角パイプ状の本体ケース（４１）と、前記本体ケース（４１）の内側両面に長さ方向に凹設され、前記スライド突起（２２）が挿入されるスライド溝（４２）とからなるケース部；を含んでなり、
前記スライド挿入部（２０）の上部の一面には、下部方向に段差付いた係止誘導段差部（２４）が設けられ、
前記プラグ固定手段（３０）の一側部には、前記プラグ固定手段（３０）が閉じる場合に前記係止誘導段差部（２４）に装着され且つ前記スライド溝（４２）に係止される固定突起（３３）が設けられることを特徴とする、回転開閉型プラグ固定手段を備えた通信装備ラック用電源分配装置。
【請求項２】
前記プラグ固定手段（３０）の一端部には、前記固定突起（３３）が前記スライド溝（４２）に弾力的に係止されるように前記プラグ固定手段（３０）の下部方向に延びて再び上部方向に延びた「Ｕ」字状のテンション部（３４）が設けられることを特徴とする、請求項１に記載の回転開閉型プラグ固定手段を備えた通信装備ラック用電源分配装置。
【請求項３】
前記テンション部（３４）の上端部には、使用者が手で加圧する場合に滑りが防止されるように両側に突出した把持突起（３５）が設けられることを特徴とする、請求項２に記載の回転開閉型プラグ固定手段を備えた通信装備ラック用電源分配装置。
【請求項４】
多数の電源プラグが接続される通信装備ラック用電源分配装置（１）であって、
前記電源プラグ（Ｐ）の形状に対応する形状に凹設されたプラグ装着溝（１１）と、前記プラグ装着溝（１１）の内部に設置され、前記電源プラグ（Ｐ）に接続されて電源を提供する端子部（１２）とからなるボックス状のプラグ接続部（１０）；
前記プラグ接続部（１０）が内部に挿入されるように上下部が開放されたボックス状の装着ケース（２１）と、前記装着ケース（２１）の両側面に設けられ、長さ方向に突出したスライド突起（２２）とからなるスライド挿入部（２０）；
前記スライド挿入部（２０）の上部に装着され、前記電源プラグ（Ｐ）の接続の際にその上部の一面が下部方向に加圧されるように中心面が一方向に切開されたプラグ貫通部（３１）を有するプラグ固定手段（３０）；および
前記スライド挿入部（２０）が装着されるように上部が開放された四角パイプ状の本体ケース（４１）と、前記本体ケース（４１）の内側両面に長さ方向に凹設され、前記スライド突起（２２）が挿入されるスライド溝（４２）とからなるケース部；を含んでなり、
前記スライド挿入部（２０）の上部の一面には、前記プラグ固定手段（３０）の一面が連結されて回転するように下部方向に凹入された回転空間溝（２５）が設けられることを特徴とする、回転開閉型プラグ固定手段を備えた通信装備ラック用電源分配装置。
【請求項５】
前記回転空間溝（２５）の内側一面には、前記プラグ固定手段（３０）が回転する場合に一面を弾性的に加圧する回転誘導突出部（２６）が設けられ、
前記回転誘導突出部（２６）は、前記回転空間溝（２５）の一側面に設けられ、上部から所定の深さだけ切開された弾性片（２６ａ）と、前記弾性片（２６ａ）の上部の一面から内側方向に突出した回転誘導突起（２６ｂ）とからなることを特徴とする、請求項４に記載の回転開閉型プラグ固定手段を備えた通信装備ラック用電源分配装置。
【請求項６】
多数の電源プラグが接続される通信装備ラック用電源分配装置（１）であって、
前記電源プラグ（Ｐ）の形状に対応する形状に凹設されたプラグ装着溝（１１）と、前記プラグ装着溝（１１）の内部に設置され、前記電源プラグ（Ｐ）に接続されて電源を提供する端子部（１２）とからなるボックス状のプラグ接続部（１０）；
前記プラグ接続部（１０）が内部に挿入されるように上下部が開放されたボックス状の装着ケース（２１）と、前記装着ケース（２１）の両側面に設けられ、長さ方向に突出したスライド突起（２２）とからなるスライド挿入部（２０）；
前記スライド挿入部（２０）の上部に装着され、前記電源プラグ（Ｐ）の接続の際にその上部の一面が下部方向に加圧されるように中心面が一方向に切開されたプラグ貫通部（３１）を有するプラグ固定手段（３０）；および
前記スライド挿入部（２０）が装着されるように上部が開放された四角パイプ状の本体ケース（４１）と、前記本体ケース（４１）の内側両面に長さ方向に凹設され、前記スライド突起（２２）が挿入されるスライド溝（４２）とからなるケース部；を含んでなり、
前記スライド挿入部（２０）の上部の一面には、前記プラグ固定手段（３０）が連結されるように両側部が穿孔された回転孔（２３）が設けられ、
前記プラグ固定手段（３０）の一側部には、前記回転孔（２３）に挿入されて回転するように両側部が突出した回転突起（３２）が設けられており、
前記プラグ貫通部（３１）の中心面が一方向に切開されることにより、前記プラグ固定手段（３０）は前記電源プラグ（Ｐ）に干渉することなく回転開閉する構成を有することを特徴とする、回転開閉型プラグ固定手段を備えた通信装備ラック用電源分配装置。
【発明の詳細な説明】
【技術分野】
【０００１】
本発明は、回転開閉型プラグ固定手段を備えた通信装備ラック用電源分配装置に係り、より詳しくは、多数の通信装備及び電子装備が収容される通信装備ラックに接続された電源プラグの接続作業の際に他の電源プラグに触れて発生する接続不良が防止され、電源プラグの離脱作業の際に片手のみでプラグ固定手段を解除することができるように一側方向に回転作用する回転開閉型プラグ固定手段を備えた通信装備ラック用電源分配装置に関する。
【背景技術】
【０００２】
最近、情報通信産業の飛躍的な発展により、電話網、インターネット通信網および衛星通信網などのネットワーク環境が拡張しつつあり、このような環境下、各種サービスの提供のための通信機器が益々多種多様化している傾向にある。
【０００３】
このような傾向に伴い、情報通信データの伝送のための通信基地局や中継施設、ＣＣＴＶ通信施設などが漸次増加することにより、各種通信用装備の安定的かつ効率的な統合管理とメンテナンスが必須的に要求されているのが現状である。
【０００４】
このような要求を満たすために、様々な通信装備を収納して保管するために設置される施設構造物として、通常「通信装備ラック」と呼ばれるラックキャビネットが主に通用されており、その実施例が、韓国登録特許公報第１０−０９４５１６１号、韓国登録実用新案公報第２０−０２１５４３５号及び韓国公開特許公報第１０−２０１０−０１１４２３１号などにそれぞれ詳細に開示されている。
【０００５】
一方、従来の通信装備ラックには、その内部に各種通信装備が収納されなければならないので、数多くの通信装備に電源を分配するために多数の電源プラグが接続されて電源を供給する電源分配装置（ＰＤＵ：Ｐｏｗｅｒ  Ｄｉｓｔｒｉｂｕｔｉｏｎ  Ｕｎｉｔ）が備えられた。
【０００６】
しかし、従来の電源分配装置には、電源プラグが接続された後に外部で固定させる固定手段が皆無であって、従来の通信装備ラックの内部における電源プラグの接続または離脱作業の際に周辺の既存接続されている電源プラグに触れて端子の接触力が低下して電源プラグの離脱による電源障害が発生するという問題点があった。
【０００７】
一方、従来の電源分配装置に接続された電源プラグの接触力が低下することを防止するように、ケーブルタイなどの固定手段で固定する方法などが使用されてはいるが、電源プラグを接続及び解除する場合、前記固定手段を設置または除去する作業が非常に不便であるという問題点があった。
【０００８】
また、従来の電源分配装置は、前記通信装備ラックにおいて肉眼上でよく見えない隅部分に設置されることにより、前記電源プラグの接続または離脱に対する作業スペースが非常に狭いため、前記ケーブルタイなどの固定手段で固定すると、電源プラグの弛緩状態を肉眼で容易に確認することができる方法がなく、離脱作業が非常に難しくなるという問題点があった。
【発明の概要】
【発明が解決しようとする課題】
【０００９】
本発明は、かかる従来技術の問題点を解決するために創作されたもので、その目的は、多数の通信装備及び電子装備が収容される通信装備ラックに接続された電源プラグの接続作業の際に、一側方向に回転作用するプラグ固定手段で電源プラグを固定することで、他の電源プラグに触れて発生する接続不良を予め防止し、電源プラグの接続及び離脱作業の際に片手のみでプラグ固定手段を固定および解除することができるため、狭いスペースでも、当該電源プラグのみを便利に離脱作業することができ、プラグの弛緩状態を容易に確認することができる、回転開閉型プラグ固定手段を備えた通信装備ラック用電源分配装置を提供することにある。
【課題を解決するための手段】
【００１０】
上記目的を達成するための本発明に係る回転開閉型プラグ固定手段を備えた通信装備ラック用電源分配装置は、多数の電源プラグが接続される通信装備ラック用電源分配装置であって、前記電源プラグの形状に対応する形状に凹設されたプラグ装着溝と、前記プラグ装着溝の内部に設置され、前記電源プラグに接続されて電源を伝達する端子部とからなるボックス状のプラグ接続部；前記プラグ接続部が内部に挿入されるように上下部が開放されたボックス状の装着ケースと、前記装着ケースの両側面に設けられ、長さ方向に突出したスライド突起とからなるスライド挿入部；前記スライド挿入部の上部に装着され、前記電源プラグの接続の際にその上部の一面が下部方向に加圧されるように中心面が一方向に切開されたプラグ貫通部を有するプラグ固定手段；並びに、前記スライド挿入部が装着されるように上部が開放された四角パイプ状の本体ケースと、前記本体ケースの内側両面に長さ方向に凹設され、前記スライド突起が挿入されるスライド溝とからなるケース部；を含んでなることを特徴とする。
【００１１】
上記本発明ではさらに、前記スライド挿入部の上部の一面には、下部方向に段差付いた係止誘導段差部が設けられ、前記プラグ固定手段の一側部には、前記プラグ固定手段が閉じる場合に前記係止誘導段差部に装着され且つ前記スライド溝に係止される固定突起が設けられることを特徴とする。
【００１２】
前記スライド挿入部の上部の一面には、前記プラグ固定手段が連結されるように両側部が穿孔された回転孔が設けられ、前記プラグ固定手段の一側部には、前記回転孔に挿入されて回転するように両側部が突出した回転突起が設けられており、前記プラグ貫通部（３１）の中心面が一方向に切開されることにより、前記プラグ固定手段（３０）は前記電源プラグ（Ｐ）に干渉することなく回転開閉する構成を有することを特徴とする。
【００１３】
前記プラグ固定手段の一端部には、前記固定突起が前記スライド溝に弾力的に係止されるように前記プラグ固定手段の下部方向に延びて再び上部方向に延びた「Ｕ」字状のテンション部が設けられることを特徴とする。
【００１４】
前記テンション部の上端部には、使用者が手で加圧する場合に滑りが防止されるように両側に突出した把持突起が設けられることを特徴とする。
【００１５】
前記スライド挿入部の上部の一面には、前記プラグ固定手段の一面が連結されて回転するように下部方向に凹入された回転空間溝が設けられることを特徴とする。
【００１６】
前記回転空間溝の内側一面には、前記プラグ固定手段が回転する場合に一面を弾性的に加圧する回転誘導突出部が設けられ、前記回転誘導突出部は、前記回転空間溝の一側面に設けられ、上部から所定の深さだけ切開された弾性片と、前記弾性片の上部の一面から内側方向に突出した回転誘導突起とからなることを特徴とする。
【発明の効果】
【００１７】
上述したように、本発明に係る回転開閉型プラグ固定手段を備えた通信装備ラック用電源分配装置は、次の効果がある。
【００１８】
第一に、様々な電子装備が収容される通信装備ラックの内部に取り付けられた電源分配装置で電源プラグの接続作業を行う場合に一側方向に回転し、電源プラグを固定するプラグ固定手段を備えることにより、接続作業を行う電源プラグの上部の３面を完璧に固定することができるため、接続不良を予め防止することができる。
【００１９】
第二に、狭小な通信装備ラックの内部に取り付けられた電源分配装置で電源プラグの離脱作業を行う場合に一側方向に回転し、ケース部のスライド溝に弾性的に係止される固定突起が設けられることにより、プラグ固定手段の解除作業を片手で便利に行うことができる。
【００２０】
第三に、プラグ固定手段の一端部に、プラグ固定手段の下部方向に延びて再び上部方向に延びた「Ｕ」字状のテンション部が設けられることにより、固定突起がスライド溝に弾力的に係止できるため、プラグ固定手段のロックおよび解除を便利に行うことができる。
【００２１】
第四に、テンション部の上端部に、両側に突出した把持突起が設けられることにより、使用者が手で加圧する場合に滑りを防止することができるため、作業性を大幅に向上させることができる。
【００２２】
第五に、スライド挿入部の上部の一面に、前記プラグ固定手段の一面が連結されて回転するように下部方向に凹入された回転空間溝が設けられることにより、プラグ固定手段の一端部が回転する場合に回転半径が干渉することを防止してプラグ固定手段を容易に回転させることができる。
【００２３】
第六に、プラグ固定手段の一側方向に回転軸となる回転突起が設けられることにより、プラグ固定手段が開かれる場合に電源プラグの一側面に全て開かれるようになり、電源プラグの離脱作業の際にプラグ固定手段に係止されることを解決することができる。
【００２４】
第七に、電源プラグが外部作用によって弛緩、すなわちやや離脱した場合、電源プラグと一緒にやや持ち上げられるプラグ固定手段を備えることにより、通信装備ラックに接続された数多くの電源プラグの接続状態を肉眼で容易に確認することができる。
【図面の簡単な説明】
【００２５】
【図１】本発明に係る通信装備ラック用電源分配装置を示す斜視図である。
【図２】本発明に係る通信装備ラック用電源分配装置を示す分解斜視図である。
【図３】本発明に係るプラグ固定手段の作用を示す正断面図である。
【図４】本発明に係るプラグ固定手段の作用を示す側断面図である。
【図５】図３に示された「Ａ」と「Ｂ」部分の拡大作用図である。
【発明を実施するための形態】
【００２６】
以下に添付図面を参照しながら、本発明の一実施形態を詳細に説明する。
【００２７】
本発明に係る回転開閉型プラグ固定手段を備えた通信装備ラック用電源分配装置は、図１乃至図４に示すように、多数の電源プラグＰが接続される通信装備ラック用電源分配装置１であって、前記電源プラグＰの形状に対応する形状に凹設されたプラグ装着溝１１と、前記プラグ装着溝１１の内部に設置され、前記電源プラグＰに接続されて電源を提供する端子部１２とからなるボックス状のプラグ接続部１０；前記プラグ接続部１０が内部に挿入されるように上下部が開放されたボックス状の装着ケース２１と、前記装着ケース２１の両側面に設けられ、長さ方向に突出したスライド突起２２とからなるスライド挿入部２０；前記スライド挿入部２０の上部に装着され、前記電源プラグＰの接続の際にその上部の一面が下部方向に加圧されるように中心面が一方向に切開されたプラグ貫通部３１を有するプラグ固定手段３０；並びに、前記スライド挿入部２０が装着されるように上部が開放された四角パイプ状の本体ケース４１と、前記本体ケース４１の内側両面に長さ方向に凹設され、前記スライド突起２２が挿入されるスライド溝４２とからなるケース部４０；を含んで構成される。
【００２８】
一方、前記端子部１２は、前記プラグ接続部１０の下部へ突出し、前記ケース部４０の内側部に備えられたメイン端子（図示せず）に連結されることが好ましい。
【００２９】
ここで、前記プラグ固定手段３０は、一面が開放され、前記電源プラグＰの上部の一面、すなわち、プラグ係止段部ｈの３面を加圧固定することができるように「コ」字状に形成されることが好ましい。
【００３０】
そして、前記プラグ接続部１０には、前記装着ケース２１の上部に下部方向に挿入される場合に所定の高さで止められるように上部枠が突出した係止突出部１３が設けられることが好ましい。
【００３１】
また、前記スライド挿入部２０の上部の一面には、前記プラグ固定手段３０が連結されるように両側部が穿孔された回転孔２３が設けられ、前記プラグ固定手段３０の一側部には、前記回転孔２３に挿入されて回転するように両側部が突出した回転突起３２が設けられる。
【００３２】
そして、前記スライド挿入部２０の上部の一面には、下部方向に段差付いた係止誘導段差部２４が設けられ、前記プラグ固定手段３０の一側部には、前記プラグ固定手段３０が閉じる場合に前記係止誘導段差部２４に装着され、前記スライド溝４２に係止される固定突起３３が設けられる。
【００３３】
一方、前記固定突起３３は、前記スライド突起２２と一直線上に設けられることが好ましく、前記固定突起３３は、前記スライド溝４２に対して挿入は容易で、離脱は容易でないように、その断面が下部方向に傾斜した形状に設けられることが好ましい。
【００３４】
また、前記プラグ固定手段３０の一端部には、前記固定突起３３が前記スライド溝４２に弾力的に係止されるように、前記プラグ固定手段３０の下部方向に延びて再び上部方向に延びた「Ｕ」字状のテンション部３４が設けられる。
【００３５】
一方、前記テンション部３４の形状は、「Ｕ」字状だけでなく、下部に延びて再び上部に延びる形状であればいずれの形状でもよい。
【００３６】
そして、前記テンション部３４の上端部には、使用者が手で加圧する場合に滑りが防止されるように両側に突出した把持突起３５が設けられる。
【００３７】
また、前記スライド挿入部２０の上部の一面には、前記プラグ固定手段３０の一面が連結されて回転するように下部方向に凹入された回転空間溝２５が設けられる。
【００３８】
一方、前記回転空間溝２５の底面は、前記プラグ固定手段３０の回転を容易にするために断面半球形の形状を有することが好ましい。
【００３９】
前記回転空間溝２５の内側一面には、図２または図５に示すように、前記プラグ固定手段３０が回転する場合に一面を弾性的に加圧する回転誘導突出部２６が設けられる。
【００４０】
ここで、前記回転誘導突出部２６は、前記回転空間溝２５の一側面に設けられ、上部から所定の深さだけ切開された弾性片２６ａと、前記弾性片２６ａの上部の一面から内側方向に突出した回転誘導突起２６ｂとからなる。
【００４１】
一方、前記回転誘導突起２６ｂは断面半球形の形状を有することが好ましい。
【００４２】
次に、前述したような構成からなる本発明に係る回転開閉型プラグ固定手段を備えた通信装備ラック用電源分配装置の作用について説明する。
【００４３】
本発明に係る回転開閉型プラグ固定手段を備えた通信装備ラック用電源分配装置は、多数の電源プラグＰが接続される通信装備ラック用電源分配装置１である。
【００４４】
すなわち、多数の通信装備および電子装備が収容される通信装備ラックにそれぞれの電源プラグＰが接続されて電源を提供する電源分配装置１に関するもので、それぞれの電源プラグＰの接続作業の際に他の電源プラグＰを触って接続不良を発生させることを、一側方向に回転する、すなわち、開き戸タイプで回転作用するプラグ固定手段３０で予め遮断することができる。
【００４５】
この際、前記プラグ固定手段３０は、図１〜図４に示すように、「コ」字状に形成され、中心部に接続された電源プラグＰに干渉することなく回転開閉でき、「コ」字状の内側下端面ｈ１が前記電源プラグＰの上部の一面、すなわち、プラグ係止段部ｈの３面を加圧固定するもので、狭小な通信装備ラックの内部に取り付けられた電源分配装置において前記電源プラグＰの接続作業を行う場合に、一側方向に回転する前記プラグ固定手段３０で電源プラグＰを固定することができるため、接続不良を予め防止することができる。
【００４６】
一方、前記プラグ固定手段３０の一側方向に回転することができるように前記スライド挿入部２０の上部の一面に回転孔２３が設けられ、前記プラグ固定手段３０の一側部には前記回転孔２３に挿入される回転突起３２が設けられることにより、前記プラグ固定手段３０が前記スライド挿入部２０およびプラグ接続部１０の上部で回転することができる。
【００４７】
また、前記プラグ固定手段３０が前記ケース部４０に固定できるように前記スライド挿入部２０の上部の一面に係止誘導段差部２４が設けられ、前記プラグ固定手段３０の一側部に固定突起３３が設けられることにより、一側方向に回転するプラグ固定手段３０を前記ケース部４０に固定させて、接続された電源プラグＰをロックすることができる。
【００４８】
この際、前記プラグ固定手段３０の一端部に、前記プラグ固定手段３０の下部方向に延びて再び上部方向に延びた「Ｕ」字状のテンション部３４が設けられることにより、前記固定突起３３が前記スライド溝４２に弾力的に係止できる。
【００４９】
前記テンション部３４の上端部には、両側に突出した把持突起３５が設けられることにより、使用者が手で加圧する場合に滑りを防止することができる。
【００５０】
また、前記スライド挿入部２０の上部の一面には、前記プラグ固定手段３０の一面が連結されて回転するように下部方向に凹入された回転空間溝２５が設けられることにより、前記プラグ固定手段３０の一端部が回転する場合に回転半径が干渉することを予め防止することができる。
【００５１】
一方、前記回転空間溝２５の内側一面には、図２または図５に示すように、前記プラグ固定手段３０が回転する場合に一面を弾性的に加圧する回転誘導突出部２６が設けられることにより、前記プラグ固定手段３０が開閉される場合にいずれか一方向に回転するように加圧する。
【００５２】
ここで、前記回転誘導突出部２６は、前記回転空間溝２５の一側面に設けられ、上部から所定の深さだけ切開された弾性片２６ａと、前記弾性片２６ａの上部の一面から内側方向に突出した回転誘導突起２６ｂとからなることにより、前記プラグ固定手段３０が回転する場合、前記プラグ固定手段３０の一端部の角部が前記回転誘導突起２６ｂに接触して加圧されることで、前記プラグ固定手段３０はいずれか一方向に回転できる。
【００５３】
本発明は、上述した特定の好適な実施形態に限定されず、請求の範囲で請求する本発明の要旨を逸脱することなく、本発明の属する技術分野における通常の知識を有する者であれば誰でも様々な変形実施を加え得るのはもとより、それらの変形実施も請求の範囲によって定められる範囲内に属する。
【符号の説明】
【００５４】
１    電源分配装置
１０    プラグ接続部
１１    プラグ装着溝
１２    端子部
２０    スライド挿入部
２１    装着ケース
２２    スライド突起
２３    回転孔
２４    係止誘導段差部
２５    回転空間溝
２６    回転誘導突出部
２６ａ    弾性片
２６ｂ    回転誘導突起
３０    プラグ固定手段
３１    プラグ貫通部
３２    回転突起
３３    固定突起
３４    テンション部
３５    把持突起
４０    ケース部
４１    本体ケース
４２    スライド溝
Ｐ    電源プラグ
【図１】
0006454901.tif 000002
【図２】
0006454901.tif 000003
【図３】
0006454901.tif 000004
【図４】
0006454901.tif 000005
【図５】
0006454901.tif 000006